(57)【要約】【課題】ネットワーク内の１つ以上のチャネルの割り当ての効率的なスケジューリングを実行できる送信装置及び受信装置の提供に資すること。【解決手段】送信装置は、単一チャネルによる割り当てに対応した第１タイプのスケジュール要素と複数チャネルによる割り当てに対応した第２タイプのスケジュール要素と、の少なくとも１つを生成し、スケジュール要素を含むＭＡＣフレームを第１チャネルで送信する。送信装置は、複数チャネルによる割り当てが第１チャネルを含む場合、複数チャネルによる割り当てに関する情報を含む第１タイプのスケジュール要素を生成し、差分情報を含む第２タイプのスケジュール要素を生成し、複数チャネルによる割り当てが第１チャネルを含まない場合、第１タイプのスケジュール要素の生成を省略し、複数チャネルによる割り当てに関する情報の全ての情報を含む第２タイプのスケジュール要素を生成する。【選択図】図１１
2018064267.tif 000002
【特許請求の範囲】
【請求項１】
単一チャネルによる割り当てに対応した第１タイプのスケジュール要素と、複数チャネルによる割り当てに対応した第２タイプのスケジュール要素と、の少なくともいずれか１つを生成し、前記生成した第１タイプまたは前記第２タイプのスケジュール要素を含むＭＡＣフレームを生成する送信信号発生回路と、
前記ＭＡＣフレームを第１チャネルで送信する送信回路と、
を備え、
前記送信信号発生回路は、
前記複数チャネルによる割り当てが前記第１チャネルを含む場合、
前記複数チャネルによる割り当てに関する情報の全ての情報を含む前記第１タイプのスケジュール要素を生成し、
前記生成した第１タイプのスケジュール要素を示す差分情報を含む前記第２タイプのスケジュール要素を生成し、
前記複数チャネルによる割り当てが前記第１チャネルを含まない場合、
前記第１タイプのスケジュール要素の生成を省略し、
前記複数チャネルによる割り当てに関する情報の全ての情報を含む前記第２タイプのスケジュール要素を生成する、
送信装置。
【請求項２】
前記第１タイプのスケジュール要素は、ＩＥＥＥ８０２．１１ａｄ規格に準拠した拡張スケジュール要素であり、
前記第２タイプのスケジュール要素は、ＩＥＥＥ８０２．１１ａｙ規格に準拠したＥＤＭＧ（Enhanced Directional Multi-Gigabit）拡張スケジュール要素である、
請求項１に記載の送信装置。
【請求項３】
前記ＭＡＣフレームは、ＤＭＧビーコンフレームまたはアナウンスフレームのいずれかである、
請求項１に記載の送信装置。
【請求項４】
前記第２タイプのスケジュール要素は、前記複数チャネルによる割り当てに対応する１つ以上割り当てフィールドを備え、
前記割り当てフィールドは、対応する割り当てのスケジューリング情報を含み、
前記割り当てフィールドは、前記複数チャネルによる割り当てのスケジューリング情報の全ての情報、または、前記生成した第１タイプのスケジュール要素を示す差分情報である、前記複数チャネルによる割り当ての差分スケジューリング情報、のいずれを含むかを示すシグナリングフィールドを備える、
請求項１に記載の送信装置。
【請求項５】
単一チャネルによる割り当てに対応した第１タイプのスケジュール要素と、複数チャネルによる割り当てに対応した第２タイプのスケジュール要素と、の少なくともいずれか１つを含むＭＡＣフレームを、送信装置から第１チャネルで受信する受信回路と、
前記ＭＡＣフレームに含まれる前記スケジュール要素から、前記複数チャネルによる割り当てを判断する信号処理回路と、
を備え、
前記送信装置から送信される前記ＭＡＣフレームに含まれる前記第１タイプのスケジュール要素および／または前記第２タイプのスケジュール要素は、
前記複数チャネルによる割り当てが前記第１チャネルを含まない場合、
前記送信装置が、
前記第１タイプのスケジュール要素の生成を省略し、
前記複数チャネルによる割り当てに関する情報の全ての情報を含む前記第２タイプのスケジュール要素を生成し、
前記複数チャネルによる割り当てが前記第１チャネルを含む場合、
前記送信装置が、
前記複数チャネルによる割り当てに関する情報の全ての情報を含む前記第１タイプのスケジュール要素を生成し、
前記生成した第１タイプのスケジュール要素を示す差分情報を含む前記第２タイプのスケジュール要素を生成する、
受信装置。
【請求項６】
前記第１タイプのスケジュール要素は、ＩＥＥＥ８０２．１１ａｄ規格に準拠した拡張スケジュール要素であり、
前記第２タイプのスケジュール要素は、ＩＥＥＥ８０２．１１ａｙ規格に準拠したＥＤＭＧ（Enhanced Directional Multi-Gigabit）拡張スケジュール要素である、
請求項５に記載の受信装置。
【請求項７】
前記ＭＡＣフレームは、ＤＭＧビーコンフレームまたはアナウンスフレームのいずれかである、
請求項５に記載の受信装置。
【請求項８】
前記第２タイプのスケジュール要素は、前記複数チャネルによる割り当てに対応する１つ以上割り当てフィールドを備え、
前記割り当てフィールドは、対応する割り当てのスケジューリング情報を含み、
前記割り当てフィールドは、前記対応する割り当てのスケジューリング情報の全ての情報、または、生成した第１タイプのスケジュール要素を示す差分情報である、前記複数チャネルによる割り当ての差分スケジューリング情報、のいずれを含むかを示すシグナリングフィールドを備える、
請求項５に記載の受信装置。
【発明の詳細な説明】
【技術分野】
【０００１】
本開示は、送信装置及び受信装置に関する。
【背景技術】
【０００２】
免許不要の６０ＧＨｚ帯のミリ波（６０ＧＨｚｍｍＷ）ネットワークへの関心が高まっている。無線ＨＤ技術は最初の６０ＧＨｚｍｍＷの規格であり、これにより、家電、パーソナルコンピュータ、および携帯用製品の間でも高解像度オーディオ、ビデオ、およびデータのマルチギガビットワイヤレスストリーミングが可能になる。
【０００３】
６０ＧＨｚｍｍＷの周波数帯において動作する、もう１つのマルチギガビット無線通信技術として、例えば、ＷｉＧｉｇ技術が開発されている。ＷｉＧｉｇ技術は、ＩＥＥＥ（Institute of Electrical and Electronic Engineers：電気電子技術者協会）によってＩＥＥＥ８０２．１１ａｄ規格として規格化された。ＷｉＧｉｇ技術は、２．１６ＧＨｚの広いチャネル帯域幅により、最大６．７ＧｂｐｓのＰＨＹ（物理層）データレートを提供することができる。
【０００４】
ＩＥＥＥ８０２．１１のワーキンググループは、１００Ｇｂｐｓを超えるＰＨＹデータレートをサポートすることが可能な次世代ＷｉＧｉｇ技術として、ＩＥＥＥ８０２．１１ａｙエアインターフェースを開発している。ＩＥＥＥ８０２．１１ａｙでは、複数のチャネルを利用するマルチチャネル技術の利用が検討されている。
【０００５】
８０２．１１ａｄから継承して、８０２．１１ａｙＭＡＣ（Media Access Control：メディアアクセス制御）層は、例えば、インフラストラクチャＢＳＳ（Basic Service Set：基本サービスセット）及びＰＢＳＳ（Personal BSS：個人ＢＳＳ）の集中ネットワークアーキテクチャをサポートする。ここで、例えばＡＰ（Access Point：アクセスポイント）またはＰＣＰ（Personal BSS Control Point：個人ＢＳＳ制御ポイント）の中央コーディネータは、ネットワーク内のＳＴＡ（station：端末）へ１つ以上のチャネル（例えば、２．１６ＧＨｚのチャネル帯域幅）の割り当てをスケジューリングするために、ＤＭＧ（Directional Multi-Gigabit：指向性マルチギガビット）ビーコンフレームまたはアナウンスフレームを送信する。
【先行技術文献】
【非特許文献】
【０００６】
【非特許文献１】ＩＥＥＥ  ８０２．１１−１５／１３５８ｒ６，Ｓｐｅｃｉｆｉｃａｔｉｏｎ  Ｆｒａｍｅｗｏｒｋ  ｆｏｒ  ＴＧａｙ，  Ｏｃｔｏｂｅｒ  ２０１６
【非特許文献２】ＩＥＥＥ  ８０２．１１−１６／１２０８ｒ０，Ｓｃｈｅｄｕｌｉｎｇ  Ａｌｌｏｃａｔｉｏｎ  ｏｎ  Ｍｕｌｔｉ−ｃｈａｎｎｅｌｓ  ｉｎ  １１ａｙ，  Ｓｅｐｔｅｍｂｅｒ  ２０１６
【非特許文献３】ＩＥＥＥ  Ｓｔｄ  ８０２．１１ａｄTM−２０１２，Ｓｅｃｔｉｏｎ  ８．４．２．１３４  Ｅｘｔｅｎｄｅｄ  Ｓｃｈｅｄｕｌｅ  Ｅｌｅｍｅｎｔ，Ｐａｇｅ  １４９−１５１，Ｄｅｃｅｍｂｅｒ  ２０１２
【非特許文献４】ＩＥＥＥ  Ｓｔｄ  ８０２．１１ａｄTM−２０１２，Ｓｅｃｔｉｏｎ  ９．３３．６  Ｃｈａｎｎｅｌ  Ａｃｃｅｓｓ  ｉｎ  Ｓｃｈｅｄｕｌｅｄ  ＤＴＩ，ｐａｇｅ  ２５１−２５４，Ｄｅｃｅｍｂｅｒ  ２０１２
【発明の概要】
【発明が解決しようとする課題】
【０００７】
しかしながら、複数の規格が混在する環境下において、効率の良いスケジューリングを行うことについて検討が不十分であった。
【０００８】
本開示の非限定的な実施例は、ネットワーク内の１つ以上のチャネルの割り当ての効率的なスケジューリングを実行できる送信装置及び受信装置の提供に資する。
【課題を解決するための手段】
【０００９】
本開示の一態様に係る送信装置は、単一チャネルによる割り当てに対応した第１タイプのスケジュール要素と、複数チャネルによる割り当てに対応した第２タイプのスケジュール要素と、の少なくともいずれか１つを生成し、前記生成した第１タイプまたは前記第２タイプのスケジュール要素を含むＭＡＣフレームを生成する送信信号発生回路と、前記ＭＡＣフレームを第１チャネルで送信する送信回路と、を備え、前記送信信号発生回路は、前記複数チャネルによる割り当てが前記第１チャネルを含む場合、前記複数チャネルによる割り当てに関する情報の全ての情報を含む前記第１タイプのスケジュール要素を生成し、前記生成した第１タイプのスケジュール要素を示す差分情報を含む前記第２タイプのスケジュール要素を生成し、前記複数チャネルによる割り当てが前記第１チャネルを含まない場合、前記第１タイプのスケジュール要素の生成を省略し、前記複数チャネルによる割り当てに関する情報の全ての情報を含む前記第２タイプのスケジュール要素を生成する。
【００１０】
本開示の一態様に係る受信装置は、単一チャネルによる割り当てに対応した第１タイプのスケジュール要素と、複数チャネルによる割り当てに対応した第２タイプのスケジュール要素と、の少なくともいずれか１つを含むＭＡＣフレームを、送信装置から第１チャネルで受信する受信回路と、前記ＭＡＣフレームに含まれる前記スケジュール要素から、前記複数チャネルによる割り当てを判断する信号処理回路と、を備え、前記送信装置から送信される前記ＭＡＣフレームに含まれる前記第１タイプのスケジュール要素および／または前記第２タイプのスケジュール要素は、前記複数チャネルによる割り当てが前記第１チャネルを含まない場合、前記送信装置が、前記第１タイプのスケジュール要素の生成を省略し、前記複数チャネルによる割り当てに関する情報の全ての情報を含む前記第２タイプのスケジュール要素を生成し、前記複数チャネルによる割り当てが前記第１チャネルを含む場合、前記送信装置が、前記複数チャネルによる割り当てに関する情報の全ての情報を含む前記第１タイプのスケジュール要素を生成し、前記生成した第１タイプのスケジュール要素を示す差分情報を含む前記第２タイプのスケジュール要素を生成する。
【００１１】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１２】
本開示の一態様によれば、ネットワーク内の１つ以上のチャネルの割り当ての効率的なスケジューリングを実行することに資する。
【００１３】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】ＰＣＰ／ＡＰおよび複数のＳＴＡを含む無線ネットワークの一例を示す図
【図２】無線ネットワーク内のビーコン間隔のプライマリチャネルでの割り当てのスケジューリングの一例を示す図
【図３】チャネライゼーションのチャネル帯域幅の一例を示す図
【図４】無線ネットワーク内のビーコン間隔の１つ以上のチャネルでの割り当てのスケジューリングの一例を示す図
【図５】ＥＳＥのフォーマットの一例を示す図
【図６】ＥＤＭＧ＿ＥＳＥのフォーマットの一例を示す図
【図７】図４に示す１つ以上のチャネルでの割り当てに対するＥＤＭＧ＿ＥＳＥおよびＥＳＥの第１の例を示す図
【図８】本開示の実施形態１に係るＥＤＭＧ＿ＥＳＥのフォーマットの一例を示す図
【図９】本開示の実施形態１に係るＥＤＭＧ＿ＥＳＥに含まれるＩＳベースおよびＣＳベースチャネル割り当てフィールドのフォーマットの一例を示す図
【図１０】本開示の実施形態１に係るビーコン間隔の１つ以上のチャネルでの割り当てのスケジューリングの一例を示す図
【図１１】本開示の実施形態１における、図１０のプライマリチャネル（ＣＨ１）上で送信されるＥＳＥおよびＥＤＭＧ＿ＥＳＥの一例を示す図
【図１２】本開示の実施形態１に係るＰＣＰ／ＡＰの簡易ブロック図
【図１３】本開示の実施形態１に係るＰＣＰ／ＡＰの詳細なブロック図
【図１４】本開示の実施形態１に係るＳＴＡの簡易ブロック図
【図１５】本開示の実施形態１に係るＳＴＡの詳細なブロック図
【図１６】本開示の実施形態１の変形例１に係るＥＤＭＧ＿ＥＳＥのフォーマットの一例を示す図
【図１７】本開示の実施形態１の変形例２に係るＥＤＭＧ＿ＥＳＥのフォーマットの一例を示す図
【図１８】本開示の実施形態２に係るＥＤＭＧ＿ＥＳＥに含まれるＩＳベースおよびＣＳベースチャネル割り当てフィールドのフォーマットの一例を示す図
【図１９】本開示の実施形態３に係るＥＤＭＧ＿ＥＳＥのフォーマットの一例を示す図
【図２０】本開示の実施形態３における、図１０のプライマリチャネル（ＣＨ１）上で送信されるＥＳＥおよびＥＤＭＧ＿ＥＳＥの一例を示す図
【図２１】本開示の実施形態４に係るＥＤＭＧ＿ＥＳＥに含まれるチャネル割り当てフィールドのフォーマットの一例を示す図
【発明を実施するための形態】
【００１５】
本開示は、以下の図面および実施形態の助けによってより良く理解されることが可能である。本明細書に記載される実施形態は、実際は単なる例示に過ぎず、本開示の可能な用途および使用法のいくつかを記載するために使用されており、本明細書に明確に記載されない代替実施形態に関して本開示を限定すると見なされない。
【００１６】
多くの無線通信システムには、１つ以上の中央コントローラがある。中央コントローラは、例えば、無線ネットワークサービスエリア、無線周波数チャネル、装置許可ポリシー、他の近隣無線ネットワークとの調整を決定し、通常はバックエンドインフラストラクチャネットワークへのゲートウェイの役割も果たす。中央コントローラの例としては、セルラー無線ネットワークにおける基地局またはｅＮＢ（Ｅｖｏｌｖｅｄ Ｎｏｄｅ Ｂ）、あるいは、ＷＬＡＮ（wireless local area networks：無線ＬＡＮ）におけるＰＣＰまたはＡＰ（以下、ＰＣＰ／ＡＰと記載する）が挙げられる。
【００１７】
なお、以下に説明する各実施形態は、ＩＥＥＥ８０２．１１によるＷＬＡＮシステムおよび、これに関連する技術について説明するが、本開示はこれに限定されず、多くの無線通信システムに適用されても良い。
【００１８】
ＩＥＥＥ８０２．１１によるＷＬＡＮにおいて、多くのネットワークはインフラストラクチャモードで動作し、すなわち、ネットワーク内の多くのトラフィックは、ＰＣＰ／ＡＰを介して伝送される。そのため、ＷＬＡＮに加入するＳＴＡは、まず関連付け（association）および認証（authentication）と呼ばれるプロセスを通じて、ＰＣＰ／ＡＰとネットワークメンバーシップの交渉を実施する。
【００１９】
図１は、ＰＣＰ／ＡＰ１１０および複数のＳＴＡ１２０（１２０ａ、１２０ｂ、１２０ｃ）を含む無線ネットワーク１００の一例を示す図である。ＰＣＰ／ＡＰ１１０は、ＩＥＥＥ８０２．１１ａｙ規格に準拠しており、ＥＤＭＧ（Enhanced Directional Multi-Gigabit：拡張指向性マルチギガビット）＿ＰＣＰ／ＡＰと称される。複数のＳＴＡのいくつかは、ＩＥＥＥ８０２．１１ａｙ規格に準拠していてもよく、その他のＳＴＡはＩＥＥＥ８０２．１１ａｄ規格に準拠していてもよい。
【００２０】
なお、以下の説明において、ＩＥＥＥ８０２．１１ａｙ規格に準拠したＳＴＡおよびＰＣＰ／ＡＰを、それぞれ、ＥＤＭＧ＿ＳＴＡおよびＥＤＭＧ＿ＰＣＰ／ＡＰと記載し、ＩＥＥＥ８０２．１１ａｄ規格に準拠したＳＴＡおよびＰＣＰ／ＡＰを、それぞれ、ＤＭＧ＿ＳＴＡおよびＤＭＧ＿ＰＣＰ／ＡＰと記載する。
【００２１】
ＰＣＰ／ＡＰ１１０は、プライマリチャネルを介してＤＭＧ＿ＳＴＡと通信する。ＰＣＰ／ＡＰ１１０は、プライマリチャネルを含む１つ以上のチャネル、または、プライマリチャネルを含まない１つ以上のチャネルを介してＥＤＭＧ＿ＳＴＡと通信する。なお、プライマリチャネルは、無線ネットワーク１００内のＥＤＭＧ＿ＳＴＡおよびＤＭＧ＿ＳＴＡを含む複数のＳＴＡ１２０の動作において共通のチャネルである。例えば、ＰＣＰ／ＡＰ１１０は、２．１６ＧＨｚの帯域幅を有する複数のチャネル（以下、２．１６ＧＨｚチャネルと記載する）の１つを、プライマリチャネルとして定め、ＢＳＳ内の他のＥＤＭＧ＿ＳＴＡおよびＤＭＧ＿ＳＴＡへ通知する。
【００２２】
無線ネットワーク１００内では、複数のＳＴＡ１２０によるチャネルアクセスがビーコン間隔の間に行われ、スケジューリングを用いて調整される。スケジューリングは、ＰＣＰ／ＡＰ１１０によって行われ、スケジューリング情報は、プライマリチャネルで送信されるＤＭＧビーコンフレームまたはアナウンスフレームを用いて複数のＳＴＡ１２０に通信されてもよい。複数のＳＴＡ１２０は、スケジューリング情報を受信し、スケジューリングされた期間に、その期間に固有のアクセスルールを用いてメディアにアクセスする。
【００２３】
図２は、無線ネットワーク１００内のビーコン間隔２００のプライマリチャネルでの割り当てのスケジューリングの一例を示す図である。図２の横軸は、時間軸を示し、図２のスケジューリングは、時間方向における割り当てを示している。
【００２４】
ビーコン間隔２００は、ＤＴＩ（Data Transfer Interval：データ転送間隔）２５０を備える。ＤＴＩ２５０は、例えば割り当て２５４ａ、割り当て２５４ｂ、および割り当て２５４ｃなど、複数のスケジューリングされた割り当て２５４を備える。複数の割り当て２５４の各々は、無線ネットワーク１００のプライマリチャネル（ＣＨ１）において割り当てられている。
【００２５】
ＤＴＩ２５０内の複数の割り当て２５４のスケジューリング情報は、ＤＭＧビーコンフレームまたはアナウンスフレームの拡張スケジュール要素（ＥＳＥ：Extended Schedule elemnt）、あるいは、ＤＭＧビーコンフレームまたはアナウンスフレームのＥＤＭＧ＿ＥＳＥに含まれている。
【００２６】
ＥＳＥは、ＩＥＥＥ８０２．１１ａｄ規格で定義されている。ＥＳＥは、ＤＭＧ＿ＳＴＡおよびＥＤＭＧ＿ＳＴＡの両方によって復号される。ＥＤＭＧ＿ＥＳＥは、ＩＥＥＥ８０２．１１ａｙ規格において定義されている。ＥＤＭＧ＿ＥＳＥは、ＥＤＭＧ＿ＳＴＡによって復号されるが、ＤＭＧ＿ＳＴＡによる復号は困難である。ＤＭＧビーコンフレームは、ＢＴＩ（Beacon Transmission Interval：ビーコン送信間隔）においてプライマリチャネル上で送信される。アナウンスフレームは、ＡＴＩ（Annoucement Transimission Interval：アナウンスメント送信間隔）においてプライマリチャネル上で送信される。ＢＴＩおよびＡＴＩは、いずれも、同じビーコン間隔２００内のＤＴＩ２５０に先行して設けられる（図示省略）。
【００２７】
次に、ＩＥＥＥ８０２．１１ａｙ規格においてサポートされるチャネルアグリゲーション（チャネルボンディング）について説明する。
【００２８】
図３は、チャネライゼーションのチャネル帯域幅の一例を示す図である。図３の横軸は、周波数を示し、縦軸は、チャネライゼーションにおける各チャネルの帯域幅を示している。
【００２９】
ＩＥＥＥ８０２．１１ａｙ規格は、少なくとも２つの２．１６ＧＨｚチャネルのチャネルボンディング、および、２つ以下の２．１６ＧＨｚチャネルまたは２つ以下の４．３２ＧＨｚの帯域幅のチャネル（４．３２ＧＨｚチャネル）の連続および非連続のチャネルアグリゲーションをサポートする。
【００３０】
チャネル割り当てを示すために、ＥＤＭＧ  ＳＵ  ＰＰＤＵ（EDMG single user PHY protocol data unit）、または、ＥＤＭＧ  ＭＵ  ＰＰＤＵ（EDMG multi user PHY protocol data unit）のEDMG Header Aフィールドチャネルにおけるシグナリングフィールドが使用される。
【００３１】
例えば、１ビットのチャネルアグリゲーションフィールドでは、２．１６ＧＨｚ、４．３２ＧＨｚ、６．４８ＧＨｚ、または、８．６４ＧＨｚのＰＰＤＵに対して、「０」が設定される。また、１ビットのチャネルアグリゲーションフィールドでは、２つの２．１６ＧＨｚ、または、２つの４．３２ＧＨｚのチャネルアグリゲーションに対して、「１」が設定される。
【００３２】
例えば、８ビットのＢＷフィールドは、ＰＰＤＵの帯域幅を示す。８つのビットは、それぞれ、図３における、２．１６ＧＨｚチャネルのチャネル＃１〜チャネル＃８に対応する。そして、ＰＰＤＵ送信に使用されるチャネルに対応するビットが「１」に設定される。
【００３３】
このように、ＩＥＥＥ８０２．１１ａｙ規格では、１つ以上のチャネルを用いて通信を行うことがサポートされている。次に、１つ以上のチャネルにおける割り当てについて説明する。
【００３４】
図４は、無線ネットワーク１００内のビーコン間隔４００の１つ以上のチャネルでの割り当てのスケジューリングの一例を示す図である。図４の横軸は、時間軸を示し、図４のスケジューリングは、時間方向における各チャネルでの割り当てを示している。図４における各チャネル（ＣＨ１、ＣＨ２、ＣＨ３）は、例えば、２．１６ＧＨｚチャネルである。
【００３５】
ビーコン間隔４００は、ＤＴＩ４５０を備える。ＤＴＩ４５０は、例えば、割り当て４５４ａ、割り当て４５４ｂ、および、割り当て４５４ｃの、複数のスケジューリングされた割り当て４５４を備える。複数のスケジューリングされた割り当て４５４の各々は、１つのチャネルまたは２つ以上のチャネルのいずれかでスケジューリングされる。なお、割り当て（例えば、割り当て４５４ｂ）は、無線ネットワーク１００のプライマリチャネル（ＣＨ１）を含まなくても良い。
【００３６】
例えば、割り当て４５４ａは、プライマリチャネル（ＣＨ１）と非プライマリチャネルのＣＨ２でスケジューリングされる。また、割り当て４５４ｂは、非プライマリチャネルであるＣＨ２およびＣＨ３でスケジューリングされる。割り当て４５４ｃは、プライマリチャネル（ＣＨ１）および非プライマリチャネルのＣＨ３でスケジューリングされる。
【００３７】
また、図４では、プライマリチャネル（ＣＨ１）における、割り当て４５４ｂの時間に対応する時間のリソース（図４の領域Ｙ１）は、空きリソースである。ＣＨ２における、割り当て４５４ｃの時間に対応する時間のリソース（図４の領域Ｙ２）は、空きリソースである。ＣＨ３における、割り当て４５４ａの時間に対応する時間のリソース（図４の領域Ｙ３）は、空きリソースである。
【００３８】
ＤＴＩ４５０内の複数のスケジューリングされた割り当て４５４のスケジューリング情報は、ＤＭＧビーコンフレームまたはアナウンスフレームのＥＳＥ、あるいは、ＤＭＧビーコンフレームまたはアナウンスフレームのＥＤＭＧ＿ＥＳＥに含まれている。
【００３９】
より詳細には、いずれの割り当てでも、スケジューリング情報の一部は、ＥＳＥに含まれ、残りのスケジューリング情報は、同じＤＭＧビーコンフレームまたはアナウンスフレームのＥＤＭＧ＿ＥＳＥに含まれる。言い換えると、ＥＤＭＧ＿ＥＳＥは、同じＤＭＧビーコンフレームまたはアナウンスフレームのうちのいずれかの割り当てのため、ＥＳＥへの差分情報を含む。
【００４０】
なお、ＥＤＭＧ＿ＥＳＥは、ＩＥＥＥ８０２．１１ａｙ規格において定義されている。ＥＤＭＧ＿ＥＳＥは、ＥＤＭＧ＿ＳＴＡによって復号されるが、ＤＭＧ＿ＳＴＡによる復号は困難である。ＤＭＧビーコンフレームは、ＢＴＩ内のプライマリチャネル上で送信される。アナウンスフレームは、ＡＴＩ内のプライマリチャネル上で送信される。ＢＴＩおよびＡＴＩは、いずれも、同じビーコン間隔４００内のＤＴＩ４５０に先行して設けられる。
【００４１】
上述したように、１つ以上のチャネルにおけるスケジューリングでは、スケジューリング情報が、ＥＳＥおよびＥＤＭＧ＿ＥＳＥに含まれる。そして、ＥＳＥは、ＤＭＧ＿ＳＴＡおよびＥＤＭＧ＿ＳＴＡの両方によって復号されるが、ＥＤＭＧ＿ＥＳＥは、ＥＤＭＧ＿ＳＴＡによって復号されるが、ＤＭＧ＿ＳＴＡによる復号は困難である。次に、ＥＳＥおよびＥＤＭＧ＿ＥＳＥのフォーマットについて、図５、図６を用いて説明する。
【００４２】
＜ＥＳＥのフォーマット＞
図５は、ＥＳＥ３００のフォーマットの一例を示す図である。ＥＳＥ３００は、要素ＩＤフィールド３０２、長さフィールド３０４、および、割り当てフィールド３０６（３０６−１〜３０６−ｎ）（ｎは１以上の整数）を備える。
【００４３】
割り当てフィールド３０６は、特定の割り当て用のスケジューリング情報を含む。割り当てフィールド３０６は、それぞれ、割り当て制御フィールド３１２、ＢＦ（Ｂｅａｍｆｏｒｍｉｎｇ：ビームフォーミング）制御フィールド３１４、送信元ＡＩＤ（Ａｓｓｏｃｉａｔｉｏｎ  Ｉｄｅｎｔｉｆｉｅｒ：アソシエーション識別子）フィールド３１６、宛先ＡＩＤフィールド３１８、割り当て開始フィールド３２０、割り当てブロック持続時間フィールド３２２、ブロック数フィールド３２６、および、割り当てブロック期間フィールド３２８を備える。割り当て制御フィールド３１２は、割り当てＩＤフィールド３３２と割り当てタイプフィールド３３４とを含む複数のフィールドをさらに備える。
【００４４】
要素ＩＤフィールド３０２は、ＥＳＥ３００を一意に識別する値を含む。このため、各ＳＴＡ１２０は、要素ＩＤフィールド３０２の値を参照することによって、ＥＳＥ３００を、フォーマットがＥＳＥ形式であるか否かを判断できる。長さフィールド３０４は、割り当てフィールド３０６の中のオクテットの数を指定する。割り当てタイプフィールド３３４は、割り当て中のチャネルアクセス機構がＣＢＡＰ（Contention Based Access Period：コンテンション方式アクセス期間）であるか、ＳＰ（Service Period：サービス期間）であるかを示す。
【００４５】
送信元ＡＩＤフィールド３１６は、ＳＰまたはＣＢＡＰ割り当て中にチャネルアクセスを開始するＳＴＡを指定する情報が記載される。また、送信元ＡＩＤフィールド３１６は、ＣＢＡＰ割り当てにおいて、全てのＳＴＡがＣＢＡＰ割り当て中に送信可能である場合、ブロードキャストＡＩＤに設定されてもよい。宛先ＡＩＤフィールド３１８は、割り当てにおいて、送信元ＳＴＡと通信するＳＴＡを指定する情報が記載される。また、宛先ＡＩＤフィールド３１８は、割り当てにおいて、全てのＳＴＡが送信元ＳＴＡと通信することが可能な場合に、ブロードキャストＡＩＤに設定されてもよい。
【００４６】
割り当てＩＤフィールド３３２は、非ゼロ値に設定された場合、送信元ＡＩＤから宛先ＡＩＤへの通信時間割り当てを識別する。ブロードキャスト送信元ＡＩＤおよびブロードキャスト宛先ＡＩＤを用いたＣＢＡＰ割り当てを除き、タプル（tuple）（送信元ＡＩＤ、宛先ＡＩＤ、割り当てＩＤの値の組）は割り当てを一意に識別する。ブロードキャスト送信元ＡＩＤおよびブロードキャスト宛先ＡＩＤを用いたＣＢＡＰ割り当てでは、割り当てＩＤは、ゼロに設定される。
【００４７】
割り当て開始フィールド３２０は、ＳＰまたはＣＢＡＰが開始される時間を示す。割り当てブロック持続時間フィールド３２２は、ＳＰまたはＣＢＡＰ割り当てが行われ、ビーコン間隔境界を越えられない時間ブロックの持続時間を示す。ブロック数フィールド３２６は、割り当てを構成する時間ブロックの数を含む。割り当てブロック期間フィールド３２８は、同じ割り当てに属する２つの連続する時間ブロックのスタート時間を含む。
【００４８】
割り当て開始フィールド３２０、割り当てブロック持続時間フィールド３２２、ブロック数フィールド３２６、および割り当てブロック期間フィールド３２８は、割り当ての時間領域における配置を識別する情報を含むフィールドである。
【００４９】
＜ＥＤＭＧ＿ＥＳＥのフォーマット＞
図６は、ＥＤＭＧ＿ＥＳＥ５００のフォーマットの一例を示す図である。ＥＤＭＧ＿ＥＳＥ５００は、要素ＩＤフィールド５０２、長さフィールド５０４、要素ＩＤ拡張フィールド５０６、割り当て数フィールド５０８、および、チャネル割り当てフィールド５１０（５１０−１〜５１０−Ｎ（Ｎは１以上の整数））を備える。
【００５０】
なお、図６には、各フィールドの長さ（サイズ）の一例が、オクテット数またはビット数で示されている。以降に示す各図においても、同様に、各フィールドの長さ（サイズ）の一例が、オクテット数またはビット数で示される。
【００５１】
要素ＩＤフィールド５０２および要素ＩＤ拡張フィールド５０６は、ＥＤＭＧ＿ＥＳＥ５００を一意に識別する値を含む。このため、各ＳＴＡ１２０は、要素ＩＤフィールド５０２および要素ＩＤ拡張フィールド５０６の値を参照することによって、ＥＤＭＧ＿ＥＳＥ５００を、フォーマットがＥＤＭＧ＿ＥＳＥ形式であるか否かを判断できる。
【００５２】
長さフィールド５０４は、要素ＩＤ拡張フィールド５０６、割り当て数フィールド５０８、および、チャネル割り当てフィールド５１０の中のオクテットの数を指定する。割り当て数フィールド５０８は、チャネル割り当てフィールド５１０の数を示す。
【００５３】
チャネル割り当てフィールド５１０は、特定の割り当て用の差分スケジューリング情報（インクリメンタルスケジューリング情報）を含む。チャネル割り当てフィールド５１０は、割り当てキーフィールド５１２、チャネルアグリゲーションフィールド５１４、ＢＷ（帯域幅）フィールド５１６、および予約フィールド５１８を備える。割り当てキーフィールド５１２は、割り当てＩＤフィールド５２２、送信元ＡＩＤフィールド５２４、および宛先ＡＩＤフィールド５２６を含む。割り当てキーフィールド５１２は、割り当てを識別するために使用される。
【００５４】
チャネルアグリゲーションフィールド５１４およびＢＷフィールド５１６は、割り当てが占有する帯域幅を指定する。例えば、１ビットのチャネルアグリゲーションフィールド５１４は、単一の２．１６ＧＨｚ、４．３２ＧＨｚ、６．４８ＧＨｚ、または８．６４ＧＨｚチャネルを占有する割り当ての場合、「０」に設定され、２つのチャネルを占有する割り当ての場合、「１」に設定される。なお、チャネルアグリゲーションは、２つの不連続な２．１６ＧＨｚチャネル（例えば、図３のチャネル＃１とチャネル＃３）または２つの不連続な４．３２ＧＨｚチャネル（例えば、図３のチャネル＃９とチャネル＃１２）を占有してもよいし、２つの連続する２．１６ＧＨｚチャネル（例えば、図３のチャネル＃１とチャネル＃２）または２つの連続する４．３２ＧＨｚチャネル（例えば、図３のチャネル＃９とチャネル＃１１）を占有してもよい。
【００５５】
８ビットのＢＷフィールド５１６は、割り当ての帯域幅を示す。例えば、８つのビット（ビット０〜７）がチャネル番号１から８を有する２．１６ＧＨｚチャネルにそれぞれ対応する。そして、ビットが１に設定された場合には、対応する２．１６ＧＨｚチャネルが割り当てに使用されることを示す。
【００５６】
送信されたＤＭＧビーコンフレームまたはアナウンスフレーム内にＥＤＭＧ＿ＥＳＥ５００（図６参照）が存在する場合、ＥＳＥ３００（図５参照）もまた同じフレーム内に存在する。
【００５７】
ＥＤＭＧ＿ＳＴＡは、ＥＤＭＧ＿ＥＳＥ５００とＥＳＥ３００とを復号し、チャネル割り当てフィールド５１０に含まれるフィールドの値と割り当てフィールド３０６に含まれるフィールドの値とを比較することによって、チャネル割り当てフィールド５１０を無視（破棄）するか否かを判定する。
【００５８】
ＥＤＭＧ＿ＥＳＥ５００に存在する１つのチャネル割り当てフィールド５１０（例えば、チャネル割り当てフィールド５１０−１）内の割り当てキーフィールド５１２の割り当てＩＤフィールド５２２の値、送信元ＡＩＤフィールド５２４の値、および宛先ＡＩＤフィールド５２６の値のそれぞれが、同じフレーム内のＥＳＥ３００に存在する割り当てフィールド３０６の割り当てＩＤフィールド３３２の値、送信元ＡＩＤフィールド３１６の値、および宛先ＡＩＤフィールド３１８の値のそれぞれと、いずれも一致しない場合、ＥＤＭＧ＿ＥＳＥ５００に含まれる割り当てフィールド（この例では、チャネル割り当てフィールド５１０−１）は、無視される。
【００５９】
つまり、割り当てＩＤフィールド５２２の値と割り当てＩＤフィールド３３２の値とが一致し、送信元ＡＩＤフィールド５２４の値と送信元ＡＩＤフィールド３１６の値とが一致し、宛先ＡＩＤフィールド５２６の値と宛先ＡＩＤフィールド３１８の値とが一致する割り当てフィールド３０６が１つも存在しない場合、チャネル割り当てフィールド５１０−１は無視（破棄）される。
【００６０】
図７は、図４に示す１つ以上のチャネルでの割り当てに対するＥＤＭＧ＿ＥＳＥ５００およびＥＳＥ３００の第１の例を示す図である。図７のＥＤＭＧ＿ＥＳＥ５００およびＥＳＥ３００は、プライマリチャネル（図４のＣＨ１）上で送信されるＤＭＧビーコンフレームまたはアナウンスフレームに含まれる。
【００６１】
図７において、図５、図６と同様のフィールドについて同一の符番を付し説明を省略する。図７のＥＳＥ３００に含まれる割り当てフィールド３０６−１〜割り当てフィールド３０６−３は、それぞれ、図４の割り当て４５４ａ、割り当て４５４ｂ、および、割り当て４５４ｃのスケジューリング情報を含む。図７のＥＤＭＧ＿ＥＳＥ５００に含まれるチャネル割り当てフィールド５１０−１〜チャネル割り当てフィールド５１０−３は、それぞれ、図４の割り当て４５４ａ、割り当て４５４ｂ、および割り当て４５４ｃの差分スケジューリング情報（図７では「差分」と記載）を含む。なお、差分スケジューリング情報は、インクリメンタルスケジューリング情報とも記載する。
【００６２】
プライマリチャネル内にある隣接ネットワーク内のＤＭＧ＿ＰＣＰ／ＡＰは、ＥＳＥ３００の復号に対応しているがＥＤＭＧ＿ＥＳＥ５００の全ての復号に対応していない。そのため、ＤＭＧ＿ＰＣＰ／ＡＰは、プライマリチャネルを含まない割り当て４５４ｂについて、プライマリチャネル上に割り当てされているかのように、割り当て４５４ｂを誤って取り扱ってしまう。これは、ＤＭＧ＿ＰＣＰ／ＡＰが、割り当てフィールド３０６−２により、割り当て４５４ｂの時間領域における配置を識別する一方で、割り当て４５４ｂの占有する帯域幅（割り当て４５４ｂに含まれているチャネル）を識別しないからである。このため、ＤＭＧ＿ＰＣＰ／ＡＰは、ＤＭＧビーコンフレームまたはアナウンスフレームに含まれるＥＳＥ３００及びＥＤＭＧ＿ＥＳＥ５００をプライマリチャネル上に割り当てされていると判断する。
【００６３】
その結果、隣接ネットワーク内のＤＭＧ＿ＰＣＰ／ＡＰは、プライマリチャネルのリソース（図４における領域Ｙ１）を他の割り当てとしてＳＴＡに割り当てることが困難であり、プライマリチャネルのチャネル利用効率が低下する。
【００６４】
本開示では、上述した問題を鑑み、チャネル利用効率を低下させることなく、割り当ての効率的なスケジューリングを提供する。
【００６５】
本開示によれば、ＰＣＰ／ＡＰ１１０は、プライマリチャネル上でＤＭＧビーコンフレームまたはアナウンスフレームを送信してよい。あるいは、ＰＣＰ／ＡＰ１１０は、プライマリチャネルおよび１つ以上の非プライマリチャネル上で連続してＤＭＧビーコンフレームまたはアナウンスフレームを送信してもよい。
【００６６】
なお、ＰＣＰ／ＡＰ１１０は、ＢＴＩ中に、送信方向（送信ビーム）を切換えながら複数のＤＭＧビーコンフレームを送信してもよい。例えば、送信ビームを３０通りに切り替え、３０個のＤＭＧビーコンを送信する場合、まず、任意のビーコン間隔において、前半１５個のＤＭＧビーコンを任意のＢＴＩにおいて送信し、後段のＤＴＩにて、データ通信を行った後に、次のビーコン間隔のＢＴＩにおいて、後半１５個のＤＭＧビーコンを送信する。なお、前半１５個のＤＭＧビーコンと後半１５個のＤＭＧビーコンは、異なる指向性のビームセットを使用して送信してもよい。同様に、ＰＣＰ／ＡＰ１１０は、ＡＴＩ中に、送信方向（送信ビーム）を切換えながら複数のアナウンスフレームを送信してもよい。なお、複数のビーコン間隔に跨って、複数のアナウンスフレームを分割して送信してもよい。
【００６７】
（実施形態１）
本開示の実施形態１によれば、ＥＳＥおよびＥＤＭＧ＿ＥＳＥを含むＤＭＧビーコンフレームまたはアナウンスフレームがプライマリチャネル上で送信される場合、プライマリチャネルを含まない割り当てのスケジューリング情報は、ＥＤＭＧ＿ＥＳＥに全て含まれる。プライマリチャネルを含む割り当てのスケジューリング情報の一部がＥＳＥに含まれ、残りのスケジューリング情報は、ＥＤＭＧ＿ＥＳＥに含まれる。
【００６８】
なお、以下の説明において、ＥＳＥおよびＥＤＭＧ＿ＥＳＥを含むＤＭＧビーコンフレームまたはアナウンスフレームを、適宜、「ＭＡＣフレーム」と記載する。また、ＥＳＥおよびＥＤＭＧ＿ＥＳＥを含むＭＡＣフレームは、ＤＭＧビーコンフレームまたはアナウンスフレームに限定されない。
【００６９】
図８は、本開示の実施形態１に係るＥＤＭＧ＿ＥＳＥ８００のフォーマットの一例を示す図である。ＥＤＭＧ＿ＥＳＥ８００は、要素ＩＤフィールド８０２、長さフィールド８０４、要素ＩＤ拡張フィールド８０６、割り当て数フィールド８０８、およびチャネル割り当てフィールド８１０（８１０−１〜８１０―Ｎ（Ｎは１以上の整数））を備える。
【００７０】
要素ＩＤフィールド８０２および要素ＩＤ拡張フィールド８０６は、ＥＤＭＧ＿ＥＳＥ８００を一意に識別する。長さフィールド８０４は、要素ＩＤ拡張フィールド８０６、割り当て数フィールド８０８、および、チャネル割り当てフィールド８１０の中のオクテットの数を指定する。割り当て数フィールド８０８は、チャネル割り当てフィールド８１０の数を示す。
【００７１】
チャネル割り当てフィールド８１０（８１０−１〜８１０−Ｎ）は、特定の割り当て用の全てのスケジューリング情報（コンプリート：完全）、または、差分スケジューリング情報（インクリメンタル：差分）のいずれかを含む。全体のスケジューリング情報を含むチャネル割り当てフィールド８１０は、オクテット数が１７のサイズに設定され、差分スケジューリング情報を含むチャネル割り当てフィールド８１０は、オクテット数が５のサイズに設定される。
【００７２】
特定の割り当て用の差分スケジューリング情報を含むチャネル割り当てフィールド８１０と、特定の割り当て用の全てのスケジューリング情報を含むチャネル割り当てフィールド８１０について、図９を用いて説明する。なお、以下では、特定の割り当て用の差分スケジューリング情報を含むチャネル割り当てフィールドを、「ＩＳ（Incremental Signaling：差分シグナリング）ベースチャネル割り当てフィールド」と記載し、特定の割り当て用の全てのスケジューリング情報を含むチャネル割り当てフィールドを、「ＣＳ（Complete Signaling：完全シグナリング）ベースチャネル割り当てフィールド」と記載する。
【００７３】
図９は、本開示の実施形態１に係るＥＤＭＧ＿ＥＳＥ８００に含まれるＩＳベースおよびＣＳベースチャネル割り当てフィールドのフォーマットの一例を示す図である。
【００７４】
ＩＳベースチャネル割り当てフィールドは、割り当てキーフィールド９１２、チャネルアグリゲーションフィールド９１４、ＢＷフィールド９１６、差分シグナリングフィールド９１８および予約フィールド９２０を備える。
【００７５】
ＣＳベースチャネル割り当てフィールドは、ＩＳベースチャネル割り当てフィールドと共通のフィールド（枠Ｘ参照）として、割り当てキーフィールド９１２、チャネルアグリゲーションフィールド９１４、ＢＷフィールド９１６、差分シグナリングフィールド９１８および予約フィールド（Reserved）９２０を備える。ＣＳベースチャネル割り当てフィールドは、更に、割り当てタイプフィールド３３４、ＢＦ制御フィールド３１４、割り当て開始フィールド３２０、割り当てブロック持続時間フィールド３２２、ブロック数フィールド３２６および割り当てブロック期間フィールド３２８を含む。
【００７６】
割り当てキーフィールド９１２、チャネルアグリゲーションフィールド９１４およびＢＷフィールド９１６は、それぞれ、図６の割り当てキーフィールド５１２、チャネルアグリゲーションフィールド５１４およびＢＷフィールド５１６と同様である。
【００７７】
また、予約フィールド９２０のサイズ（ビット数）は、図６の予約フィールド５１８から、差分シグナリングフィールドの１ビット分、減少している。そのため、ＩＳベースのチャネル割り当てフィールドは、図６のチャネル割り当てフィールド５１０に対して、差分シグナリングフィールドが追加されているものの、そのサイズは、互いに同一である。
【００７８】
差分シグナリングフィールド９１８は、チャネル割り当てフィールドがＩＳまたはＣＳのいずれに基づくかを示す。例えば、チャネル割り当てフィールドがＩＳに基づくフィールド、すなわち、ＩＳベースチャネル割り当てフィールドである場合、差分シグナリングフィールド９１８は、「１」に設定される。チャネル割り当てフィールドがＣＳに基づくフィールド、すなわち、ＣＳベースチャネル割り当てフィールドである場合、差分シグナリングフィールド９１８は、「０」に設定される。
【００７９】
割り当てタイプフィールド３３４、ＢＦ制御フィールド３１４、割り当て開始フィールド３２０、割り当てブロック持続時間フィールド３２２、ブロック数フィールド３２６および割り当てブロック期間フィールド３２８は、図５の割り当てフィールド３０６に含まれるフィールドと同様である。
【００８０】
ＩＳベースチャネル割り当てフィールドは、図６のチャネル割り当てフィールド５１０に含まれるフィールドを有し、特定の割り当ての差分スケジューリング情報を含む。差分スケジューリング情報は、例えば、特定の割り当てに含まれる（特定の割り当てが占有する）チャネルの情報を含む。
【００８１】
ＩＳベースチャネル割り当てフィールドは、図６のチャネル割り当てフィールド５１０に含まれるフィールドおよび図５の割り当てフィールド３０６に含まれるフィールドを有し、特定の割り当ての全てのスケジューリング情報を含む。全てのスケジューリング情報は、例えば、特定の割り当てに含まれる（特定の割り当てが占有する）チャネルの情報と、特定の割り当ての時間領域における配置を識別する情報を含む。
【００８２】
次に、スケジューリングの一例と、そのスケジューリングに対するＥＳＥおよびＥＤＭＧ＿ＥＳＥの一例について説明する。
【００８３】
図１０は、本開示の実施形態１に係るビーコン間隔１１００の１つ以上のチャネルでの割り当てのスケジューリングの一例を示す図である。図１０の横軸は、時間軸を示し、図１０のスケジューリングは、時間方向における各チャネルでの割り当てを示している。図１０における各チャネルは、例えば、２．１６ＧＨｚチャネルである。
【００８４】
なお、図１０において、ビーコン間隔１１００に含まれるＤＴＩ４５０における、割り当て４５４ａ〜割り当て４５４ｃは、図４と同様である。図４と図１０との相違点は、ＤＴＩ２５０に先行して設けられる間隔において送信されるＭＡＣフレーム１１０１が異なる点である。
【００８５】
ＥＤＭＧ＿ＰＣＰ／ＡＰは、プライマリチャネル上で、ＭＡＣフレーム１１０１を送信する。
【００８６】
ＥＤＭＧ＿ＰＣＰ／ＡＰは、プライマリチャネル上で、例えば、チャネルアグリゲーションを用いて、同時に、ＭＡＣフレームを送信しても良い。あるいは、ＥＤＭＧ＿ＰＣＰ／ＡＰは、プライマリチャネル上で、例えば、ＢＴＩを断片化することにより、順次、ＭＡＣフレームを送信しても良い。
【００８７】
ＥＳＥは、ＭＡＣフレームが送信されるプライマリチャネルを含む割り当て用のスケジューリング情報をシグナリングする割り当てフィールドを含む。
【００８８】
ＥＤＭＧ＿ＥＳＥは、ＭＡＣフレームが送信されるチャネルを含まない割り当てのスケジューリング情報をシグナリングするＣＳベースチャネル割り当てフィールドと、ＭＡＣフレームが送信されるチャネルを含む割り当てのスケジューリング情報をシグナリングするＩＳベースチャネル割り当てフィールドとを含む。
【００８９】
例えば、ＣＨ１上で送信されるＭＡＣフレーム１１０１に含まれるＥＤＭＧ＿ＥＳＥは、ＣＨ１を含まない割り当て４５４ｂのスケジューリング情報をシグナリングするＣＳベースチャネル割り当てフィールドと、ＣＨ１を含む割り当て４５４ａおよび割り当て４５４ｃのスケジューリング情報をシグナリングするＩＳベースチャネル割り当てフィールドとを含む。
【００９０】
次に、図１０のＣＨ１上で送信されるＭＡＣフレーム１１０１に含まれるＥＳＥ、ＥＤＭＧ＿ＥＳＥについて、図１１を用いて説明する。
【００９１】
図１１は、本開示の実施形態１における、図１０のプライマリチャネル（ＣＨ１）上で送信されるＥＳＥ１２００およびＥＤＭＧ＿ＥＳＥ８００の一例を示す図である。図１１において、図５、図８と同様の構成については同一の符番を付し、説明を省略する。
【００９２】
ＥＳＥ１２００は、プライマリチャネル（ＣＨ１）を含む割り当て４５４ａのスケジューリング情報をシグナリングする割り当てフィールド３０６−１、および、プライマリチャネル（ＣＨ１）を含む割り当て４５４ｃのスケジューリング情報をシグナリングする割り当てフィールド３０６−２を有する。一方で、ＥＳＥ１２００は、プライマリチャネル（ＣＨ１）を含まない割り当て４５４ｂのスケジューリング情報をシグナリングする割り当てフィールドを有さない。
【００９３】
ＥＤＭＧ＿ＥＳＥ８００は、プライマリチャネル（ＣＨ１）を含む割り当て４５４ａのスケジューリング情報をシグナリングするＩＳベースチャネル割り当てフィールド（差分）８１０−１、プライマリチャネル（ＣＨ１）を含まない割り当て４５４ｂのスケジューリング情報をシグナリングするＣＳベースチャネル割り当てフィールド（完全）８１０−２、および、割り当て４５４ｃのスケジューリング情報をシグナリングするＩＳベースチャネル割り当てフィールド（差分）８１０−３を有する。
【００９４】
プライマリチャネル（ＣＨ１）内にある隣接ネットワーク内のＤＭＧ＿ＰＣＰ／ＡＰは、図１１のＥＳＥ１２００およびＥＤＭＧ＿ＥＳＥ８００を含むＭＡＣフレーム１１０１を受信し、ＥＳＥ１２００を復号し、割り当て４５４ａおよび割り当て４５４ｃのスケジューリング情報を取得する。一方で、図１１のＥＳＥ１２００が割り当て４５４ｂのスケジューリング情報を有さないため、ＤＭＧ＿ＰＣＰ／ＡＰは、割り当て４５４ｂのスケジューリング情報を取得しない。そのため、ＤＭＧ＿ＰＣＰ／ＡＰは、プライマリチャネル（ＣＨ１）における、割り当て４５４ｂの時間に対応する時間のリソース（図１０の領域Ｙ１）に対して別の割り当て（図１０と異なる割り当て）を行うことができる。
【００９５】
また、図１１のＥＳＥ１２００が割り当て４５４ｂのスケジューリング情報を有さないが、図１１のＥＤＭＧ＿ＥＳＥ８００が割り当て４５４ｂの全てのスケジューリング情報を含むＣＳベースチャネル割り当てフィールド８１０−２を有しているため、ＥＤＭＧ＿ＳＴＡは、図１１のＥＳＥ１２００とＥＤＭＧ＿ＥＳＥ８００を復号することにより、割り当て４５４ｂを含む全ての割り当てのスケジューリング情報を取得できる。
【００９６】
次に、上述した実施形態１に係る、ＰＣＰ／ＡＰの構成およびＳＴＡの構成について説明する。
【００９７】
＜ＰＣＰ／ＡＰの構成＞
図１２は、本開示の実施形態１に係るＰＣＰ／ＡＰ２０００の簡易ブロック図である。ＰＣＰ／ＡＰ２０００は、例えば、図１のＰＣＰ／ＡＰ１１０であってもよい。ＰＣＰ／ＡＰ２０００は、送信信号発生回路２０１０および送信回路２０２０を備える。送信信号発生回路２０１０は送信信号を発生する役割を担い、送信回路２０２０は発生した信号を送信する役割を担う。
【００９８】
図１３は、本開示の実施形態１に係るＰＣＰ／ＡＰ２０００の詳細なブロック図である。ＰＣＰ／ＡＰ２０００は、制御回路２００２、スケジューリング回路２００４、メッセージ処理回路２００６、送信信号発生回路２０１０、および送信回路２０２０を備える。送信信号発生回路２０１０はメッセージ生成回路２０１２を備え、送信回路２０２０はＰＨＹ処理回路２０２２および複数のアンテナ２０２４を備える。
【００９９】
制御回路２００２は、ＭＡＣプロトコルコントローラであり、一般的なＭＡＣプロトコル動作を制御する。例えば、制御回路２００２は、ＩＥＥＥ８０２．１１ａｄ規格およびＩＥＥＥ８０２．１１ａｙ規格にサポートされているＭＡＣプロトコル動作を制御する。
【０１００】
スケジューリング回路２００４は、制御回路２００２の制御下でチャネル時間割り当てをスケジューリングする。
【０１０１】
メッセージ生成回路２０１２は、制御回路２００２の制御下で、スケジューリング回路２００４からスケジューリング情報を受信して、ＭＡＣフレーム（ＤＭＧビーコンフレームまたはアナウンスフレーム）などの対応する制御、データ、または管理メッセージを生成する。ＭＡＣフレームに含まれるＥＤＭＧ＿ＥＳＥおよびＥＳＥは、上述した実施形態にしたがって生成される。
【０１０２】
生成されたメッセージを含む送信信号は、ＰＨＹ処理回路２０２２によるＰＨＹ処理の後に複数のアンテナ２０２４を通じて送信される。
【０１０３】
メッセージ処理回路２００６は、複数のアンテナ２０２４およびＰＨＹ処理回路２０２２を通じて受信した受信メッセージを解析し、解析後のメッセージを制御回路２００２に出力する。
【０１０４】
＜ＳＴＡの構成＞
図１４は、本開示の実施形態１に係るＳＴＡ２１００の簡易ブロック図である。ＳＴＡ２１００は、図１の無線ネットワーク１００内の複数のＳＴＡ１２０のいずれかであってもよい。ＳＴＡ２１００は、受信回路２１１０および受信信号処理回路２１２０を備える。受信回路２１１０は、ＰＣＰ／ＡＰ２０００によって送信された信号を受信する役割を担う。受信信号処理回路２１２０は、受信した信号を処理する役割を担う。
【０１０５】
図１５は、本開示の実施形態１に係るＳＴＡ２１００の詳細なブロック図である。ＳＴＡ２１００は、制御回路２１０２、メッセージ生成回路２１０４、受信回路２１１０、および受信信号処理回路２１２０を備える。受信回路２１１０は、ＰＨＹ処理回路２１２２および複数のアンテナ２１２４を備える。受信信号処理回路２１２０は、メッセージ処理回路２１１２を備える。
【０１０６】
制御回路２１０２は、ＭＡＣプロトコルコントローラであり、一般的なＭＡＣプロトコル動作を制御する。
【０１０７】
メッセージ生成回路２１０４は、制御回路２１０２の制御下でＭＡＣフレームなどの制御、データ、または管理メッセージを生成する。
【０１０８】
生成されたメッセージを含む送信信号は、ＰＨＹ処理回路２１２２によるＰＨＹ処理の後に複数のアンテナ２１２４を通じて送信される。
【０１０９】
メッセージ処理回路２１１２は、制御回路２１０２の制御下で、複数のアンテナ２１２４およびＰＨＹ処理回路２１２２を通じて受信した制御、データ、または管理メッセージを解析し、これらを制御回路２１０２に供給する。ＭＡＣフレームに含まれるＥＤＭＧ＿ＥＳＥおよびＥＳＥは、上述した実施形態にしたがって生成される。
【０１１０】
＜実施形態１のまとめ＞
以上説明した実施形態１では、プライマリチャネル上で送信されるＭＡＣフレームに含まれるＥＤＭＧ＿ＥＳＥがプライマリチャネルを含まない（占有しない）割り当てのスケジューリング情報を全て含み、ＥＳＥがプライマリチャネルを含まない（占有しない）割り当てのスケジューリング情報を含まない。この構成により、プライマリチャネル内にある隣接ネットワークのＤＭＧ＿ＰＣＰ／ＡＰは、ＥＳＥを復号することにより、プライマリチャネルを含まない割り当てを、プライマリチャネルを含む割り当てであると解釈することを回避できる。これにより、ＤＭＧ＿ＰＣＰ／ＡＰは、プライマリチャネルにおいて、より効率よくスケジューリングを行うことができ、プライマリチャネルのチャネル利用効率が向上する。
【０１１１】
また、実施形態１では、ＩＳベースチャネル割り当てフィールドの最初の４つ（または予約フィールドを含めて５つ）のシグナリングフィールドは、ＣＳベースチャネル割り当てフィールドの最初の４つ（または予約フィールドを含めて５つ）のシグナリングフィールドと同じである。その結果、受信装置（例えば、ＳＴＡ）は、各チャネル割り当てフィールドの最初の４つのシグナリングフィールドを同じように扱うことができるため、受信装置における処理は簡素化できる。
【０１１２】
＜実施形態１の変形例１＞
上述した実施形態１では、差分シグナリングフィールド９１８（図９参照）を用いて、各チャネル割り当てフィールド８１０（図８参照）がＩＳまたはＣＳのいずれに基づくかを示す例について説明した。本実施形態１の変形例１では、差分シグナリングフィールド９１８を用いる方法と異なる方法により、各チャネル割り当てフィールドがＩＳまたはＣＳのいずれに基づくかを示す例について説明する。
【０１１３】
図１６は、本開示の実施形態１の変形例１に係るＥＤＭＧ＿ＥＳＥ１３００のフォーマットの一例を示す図である。ＥＤＭＧ＿ＥＳＥ１３００は、要素ＩＤフィールド１３０２、長さフィールド１３０４、要素ＩＤ拡張フィールド１３０６、ＩＳベース割り当て数フィールド１３０８、ＩＳベースチャネル割り当てフィールド１３１０（１３１０−１〜１３１０−Ｍ）、およびＣＳベースチャネル割り当てフィールド１３２０（１３２０−Ｍ＋１〜１３２０−Ｎ）を備える。なお、Ｍは、１以上の整数であり、Ｎは、Ｍ＋１以上の整数である。
【０１１４】
要素ＩＤフィールド１３０２および要素ＩＤ拡張フィールド１３０６は、ＥＤＭＧ＿ＥＳＥ１３００を一意に識別する。長さフィールド１３０４は、要素ＩＤ拡張フィールド１３０６、ＩＳベース割り当て数フィールド１３０８、複数のＩＳベースチャネル割り当てフィールド１３１０、および、複数のＣＳベースチャネル割り当てフィールド１３２０の中のオクテットの数を指定する。ＩＳベース割り当て数フィールド１３０８は、ＩＳベースチャネル割り当てフィールド１３１０の数を示す。
【０１１５】
ＩＳベースチャネル割り当てフィールド１３１０は、ＩＳベース割り当て数フィールド１３０８の後ろ、かつ、ＣＳベースチャネル割り当てフィールド１３２０よりも前に連続して設けられる。ＩＳベースチャネル割り当てフィールド１３１０は、差分シグナリングフィールド９１８を含まない点を除き、図９のＩＳベースチャネル割り当てフィールドと同様である。
【０１１６】
ＣＳベースチャネル割り当てフィールド１３２０は、ＩＳベースチャネル割り当てフィールド１３１０の後ろに連続して設けられる。ＣＳベースチャネル割り当てフィールド１３２０は、差分シグナリングフィールド９１８を含まない点を除き、図９のＣＳベースチャネル割り当てフィールドと同様である。
【０１１７】
ＣＳベースチャネル割り当てフィールド１３２０の数ＮＣＳは、式（１）により、長さフィールド１３０４およびＩＳベース割り当て数フィールド１３０８の値に基づいて算出される。なお、ＩＳベースチャネル割り当てフィールド１３１０の長さ、および、ＣＳベースチャネル割り当てフィールド１３２０の長さは、既知であり、例えば、図１６では、それぞれ、５および１７である。
ＮＣＳ＝（長さフィールド１３０４の値−２−ＩＳベース割り当て数フィールド１３０８の値×ＩＳベースチャネル割り当てフィールド１３１０の長さ）／ＣＳベースチャネル割り当てフィールド１３２０の長さ  ・・・  式（１）
【０１１８】
式（１）の右辺の分子における「−２」は、要素ＩＤ拡張フィールド１３０６の長さ（図１６では、１オクテット）とＩＳベース割り当て数フィールド１３０８の長さ（図１６では、１オクテット）に相当する。つまり、式（１）の右辺の分子では、長さフィールド１３０４の値から、ＣＳベースチャネル割り当てフィールド１３２０以外のフィールドの長さを差し引くことによって、複数のＣＳベースチャネル割り当てフィールド１３２０の全体の長さが算出される。そして、式（１）の分子の長さが、１つのＣＳベースチャネル割り当てフィールド１３２０の長さによって除算されることによって、ＣＳベースチャネル割り当てフィールド１３２０の数ＮＣＳが、算出される。
【０１１９】
本実施形態１の変形例１では、各チャネル割り当てフィールドに差分シグナリングフィールド９１８を設ける代わりに、ＥＤＭＧ＿ＥＳＥ１３００における、ＩＳベースチャネル割り当てフィールド１３１０とＣＳベースチャネル割り当てフィールド１３２０の位置、および、ＩＳベース割り当て数フィールド１３０８の値（つまり、ＩＳベース割り当てフィールドの数）とＣＳベースチャネル割り当てフィールド１３２０の数ＮＣＳに基づいて、各チャネル割り当てフィールドがＩＳまたはＣＳのいずれであるか、を判定する。
【０１２０】
本実施形態１の変形例１のＥＤＭＧ＿ＥＳＥ１３００では、差分シグナリングフィールドが設けないため、各チャネル割り当てフィールドのサイズを１ビットずつ減らすことができる。
【０１２１】
＜実施形態１の変形例２＞
本実施形態１の変形例２では、差分シグナリングフィールド９１８（図９参照）を用いる方法と異なる方法により、各チャネル割り当てフィールドがＩＳまたはＣＳのいずれに基づくかを示す更に別の例について説明する。
【０１２２】
図１７は、本開示の実施形態１の変形例２に係るＥＤＭＧ＿ＥＳＥ１４００のフォーマットの一例を示す図である。ＥＤＭＧ＿ＥＳＥ１４００は、要素ＩＤフィールド１４０２、長さフィールド１４０４、要素ＩＤ拡張フィールド１４０６、ＣＳベース割り当て数フィールド１４０８、ＣＳベースチャネル割り当てフィールド１４１０（１４１０−１〜１４１０−Ｍ）、およびＩＳベースチャネル割り当てフィールド１４２０（１４２０−Ｍ＋１〜１４２０−Ｎ）を備える。なお、Ｍは、１以上の整数であり、Ｎは、Ｍ＋１以上の整数である。
【０１２３】
要素ＩＤフィールド１４０２および要素ＩＤ拡張フィールド１４０６は、ＥＤＭＧ＿ＥＳＥ１４００を一意に識別する。長さフィールド１４０４は、要素ＩＤ拡張フィールド１４０６、ＣＳベース割り当て数フィールド１４０８、複数のＣＳベースチャネル割り当てフィールド１４１０、および複数のＩＳベースチャネル割り当てフィールド１４２０の中のオクテットの数を指定する。ＣＳベース割り当て数フィールド１４０８は、ＣＳベースチャネル割り当てフィールド１４１０の数を示す。
【０１２４】
ＣＳベースチャネル割り当てフィールド１４１０は、ＣＳベース割り当て数フィールド１４０８の後ろ、かつ、ＣＳベースチャネル割り当てフィールド１４２０よりも前に連続して設けられる。ＣＳベースチャネル割り当てフィールド１４１０は、差分シグナリングフィールド９１８を含まない点を除き、図９のＩＳベースチャネル割り当てフィールドと同様である。
【０１２５】
ＩＳベースチャネル割り当てフィールド１４２０は、ＣＳベースチャネル割り当てフィールド１４１０の後ろに連続して設けられる。ＩＳベースチャネル割り当てフィールド１４２０は、差分シグナリングフィールド９１８を含まない点を除き、図９のＩＳベースチャネル割り当てフィールドと同様である。
【０１２６】
ＩＳベースチャネル割り当てフィールド１４２０の数ＮＩＳは、式（２）により、長さフィールド１４０４およびＣＳベース割り当て数フィールド１４０８の値に基づいて算出される。なお、ＣＳベースチャネル割り当てフィールド１４１０の長さ、および、ＩＳベースチャネル割り当てフィールド１４２０の長さは、既知であり、例えば、図１７では、それぞれ、１７および５である。
ＮＩＳ＝（長さフィールド１４０４の値−２−ＣＳベース割り当て数フィールド１４０８の値×ＣＳベースチャネル割り当てフィールド１４１０の長さ）／ＩＳベースチャネル割り当てフィールド１４２０の長さ  ・・・  式（２）
【０１２７】
本実施形態１の変形例２では、各チャネル割り当てフィールドに差分シグナリングフィールドを設ける代わりに、ＥＤＭＧ＿ＥＳＥ１４００における、ＣＳベースチャネル割り当てフィールド１４１０とＩＳベースチャネル割り当てフィールド１４２０の位置、および、ＣＳベース割り当て数フィールド１４０８の値（つまり、ＣＳベース割り当てフィールドの数）とＩＳベースチャネル割り当てフィールド１３２０の数ＮＩＳに基づいて、各チャネル割り当てフィールドがＩＳまたはＣＳのいずれであるか、を判定する。
【０１２８】
本実施形態１の変形例２のＥＤＭＧ＿ＥＳＥ１４００では、差分シグナリングフィールドが設けないため、各チャネル割り当てフィールドのサイズを１ビットずつ減らすことができる。
【０１２９】
（実施形態２）
図１８は、本開示の実施形態２に係るＥＤＭＧ＿ＥＳＥに含まれるＩＳベースおよびＣＳベースチャネル割り当てフィールドのフォーマットの一例を示す図である。なお、図１８において、図９と同様の構成については、同一の符番を付し、説明を省略する。
【０１３０】
図１８のＩＳベースチャネル割り当てフィールドのフォーマットは、図９のＩＳベースチャネル割り当てフィールドのフォーマットに加えて、送信モードフィールド１０１０およびＭＩＭＯ（Multiple Input Multiple Output：多重入出力）ＢＦ制御フィールド１０１２を備える。なお、ＩＳベースチャネル割り当てフィールドのフォーマットは、そのアロケーション中にビームフォーミングを行うためのパラメータを含んでもよい。
【０１３１】
図１８のＣＳベースチャネル割り当てフィールドのフォーマットは、図９のＣＳベースチャネル割り当てフィールドのフォーマットに加えて、送信モードフィールド１０１０およびＭＩＭＯ  ＢＦ制御フィールド１０１２を備える。
【０１３２】
送信モードフィールド１０１０は、その割り当てにおいてＳＩＳＯ（Single Input Single Output：単入力単出力）送信、ＳＵ−ＭＩＭＯ（Single User MIMO：単一ユーザＭＩＭＯ）送信、およびＤＬ  ＭＵ−ＭＩＭＯ（Downlink Multiuser MIMO：ダウンリンクマルチユーザＭＩＭＯ）送信のいずれが起動されるかを示す。
【０１３３】
ＭＩＭＯ  ＢＦ制御フィールド１０１２は、ＥＳＥ３００内のＢＦ制御フィールド３１４へのＭＩＭＯ  ＢＦトレーニング関連差分シグナリングを含む。
【０１３４】
例えば、ＭＩＭＯ  ＢＦ制御フィールド１０１２は、イニシエータリンク用のＳＵ−ＭＩＭＯ  ＢＦトレーニングが必要か否かを示すための第１のシグナリングと、レスポンダリンク用のＳＵ−ＭＩＭＯ  ＢＦトレーニングが必要か否かを示すための第２のシグナリングと、ＤＬ  ＭＵ−ＭＩＭＯ  ＢＦトレーニングが必要か否かを示すための第３のシグナリングと、を含む。ＭＩＭＯ  ＢＦ制御フィールド１０１２は、また、イニシエータリンク用のＳＵ−ＭＩＭＯ  ＢＦトレーニングに関する追加パラメータ、レスポンダリンク用のＳＵ−ＭＩＭＯ  ＢＦトレーニングに関する追加パラメータ、およびＤＬ  ＭＵ−ＭＩＭＯ  ＢＦトレーニングに関する追加パラメータを含んでもよい。なお、割り当てにおいてＳＩＳＯ送信が起動された場合、ＭＩＭＯ  ＢＦ制御フィールド１０１２がチャネル割り当てフィールド内の予約フィールド９２０として扱われる。
【０１３５】
なお、ＭＩＭＯ  ＢＦ制御フィールド１０１２に含まれるパラメータ、すなわち、ＢＦ制御フィールド３１４へのＭＩＭＯ  ＢＦトレーニング関連の差分シグナリングのパラメータは、ＢＦトレーニングに限られず、ＭＩＭＯのデータ通信に用いられてもよい。例えば、ＭＩＭＯ  ＢＦ制御フィールド１０１２に含まれるパラメータは、アンテナ指向性制御、ＭＩＭＯストリーム数に関するパラメータを含む。
【０１３６】
＜実施形態２のまとめ＞
本開示の実施形態２では、ＩＳベースチャネル割り当てフィールドの最初の６つ（または予約フィールドを含めて７つ）のシグナリングフィールドは、ＣＳベースチャネル割り当てフィールドの最初の６つ（または予約フィールドを含めて７つ）のシグナリングフィールドと同じである。その結果、受信装置（例えば、ＳＴＡ）は、各チャネル割り当てフィールドの最初の６つのシグナリングフィールドを同じように扱うことができるため、受信装置における処理は簡素化できる。
【０１３７】
また、本開示の実施形態２では、ＥＤＭＧ＿ＥＳＥの各割り当てフィールドが、送信モードフィールド、および、ＭＩＭＯ  ＢＦ制御フィールドを有することにより、ＥＤＭＧ＿ＥＳＥを復号する受信装置（例えば、ＥＤＭＧ＿ＳＴＡ）が、送信モードの切替、および、ＢＦトレーニングを行うことができる。
【０１３８】
ＥＤＭＧ＿ＥＳＥに含まれるＭＩＭＯ  ＢＦ制御フィールドは、ＩＥＥＥ８０２．１１ａｙ規格において追加された拡張機能に関するパラメータを通知するフィールドである。拡張機能とは、例えば、ＭＩＭＯを用いたデータ通信およびＢＦトレーニングである。ＥＳＥは、ＩＥＥＥ８０２．１１ａｄ規格で定義されたスケジュール要素であるため、ＩＥＥＥ８０２．１１ａｙ規格において追加された拡張機能に関するパラメータを通知しない。
【０１３９】
例えば、プライマリチャネルにおいて拡張機能のＢＦトレーニングが行われる場合、ＩＳベースチャネル割り当てフィールドがＭＩＭＯ  ＢＦ制御フィールドを含むことによって、ビーコンフレームのデータ量を削減することができる。
【０１４０】
なお、プライマリチャネルを含む割り当てにおいて拡張機能のＢＦトレーニングが行われない場合（つまり、ＢＦ制御フィールドが拡張機能を指定しない場合）、ビーコンフレームは、ＥＤＭＧ＿ＥＳＥを含まなくても良い。ＥＤＭＧ＿ＥＳＥを含まないことによって、ビーコンフレームのデータ量を削減することができる。
【０１４１】
（実施形態３）
本開示の実施形態３に係るＥＤＭＧ＿ＥＳＥのチャネル割り当てフィールドは、送信元ＡＩＤフィールド、宛先ＡＩＤフィールド、および割り当てＩＤフィールドに加えて、ＥＳＥの割り当てフィールドと共通する共通シグナリングフィールドを有する。
【０１４２】
例えば、ＥＤＭＧ＿ＥＳＥのチャネル割り当てフィールドは、共通シグナリングフィールドとして、割り当てタイプフィールドまたは割り当てブロック持続時間フィールドを含む。
【０１４３】
ＥＳＥおよびＥＤＭＧ＿ＥＳＥを含むＭＡＣフレームがプライマリチャネル上で送信される場合、ＥＤＭＧ＿ＥＳＥにおける、プライマリチャネルを含まない割り当てのチャネル割り当てフィールドの共通シグナリングフィールドは、実際の値に設定される。一方で、ＥＳＥにおける、プライマリチャネルを含まない割り当ての割り当てフィールドの共通シグナリングフィールドは、無効な値に設定される。
【０１４４】
例えば、共通シグナリングフィールドが割り当てブロック持続時間フィールドである場合、ＥＳＥにおける、プライマリチャネルを含まない割り当ての割り当てフィールドの割り当てブロック持続時間フィールドは、無効な値として０に設定される。
【０１４５】
また、例えば、共通シグナリングフィールドが割り当てタイプフィールドである場合、ＥＳＥにおける、プライマリチャネルを含まない割り当ての割り当てフィールドの割り当てタイプフィールドは、ＣＢＡＰもＳＰも示さない１つの値（例えば、２，３，４，５，６，７のうちの１つ）に設定される。
【０１４６】
プライマリチャネルを含む割り当てでは、ＥＤＭＧ＿ＥＳＥにおける、チャネル割り当てフィールドの共通シグナリングフィールドおよびＥＳＥにおける、割り当てフィールドの共通シグナリングフィールドは、いずれも実際の値に設定される。
【０１４７】
図１９は、本開示の実施形態３に係るＥＤＭＧ＿ＥＳＥ１５００のフォーマットの一例を示す図である。ＥＤＭＧ＿ＥＳＥ１５００は、要素ＩＤフィールド１５０２、長さフィールド１５０４、要素ＩＤ拡張フィールド１５０６、割り当て数フィールド１５０８、およびチャネル割り当てフィールド１５１０（１５１０−１〜１５１０−Ｎ（Ｎは１以上の整数））を備える。
【０１４８】
要素ＩＤフィールド１５０２および要素ＩＤ拡張フィールド１５０６は、ＥＤＭＧ＿ＥＳＥ１５００を一意に識別する。長さフィールド１５０４は、要素ＩＤ拡張フィールド１５０６、割り当て数フィールド１５０８、およびチャネル割り当てフィールド１５１０の中のオクテットの数を指定する。割り当て数フィールド１５０８は、チャネル割り当てフィールド１５１０の数を示す。
【０１４９】
なお、図１９では、ＥＤＭＧ＿ＥＳＥ１５００が、割り当て数フィールド１５０８を備える例について示すが、割り当て数フィールド１５０８を備えていなくても良い。例えば、割り当て数Ｎは、Ｎ＝（長さフィールド―１）／チャネル割り当てフィールド１５１０の長さ（図１９の例では、７）によって算出しても良い。
【０１５０】
チャネル割り当てフィールド１５１０は、特定の割り当て用の差分スケジューリング情報を含む。チャネル割り当てフィールド１５１０は、割り当てキーフィールド１６０２、チャネルアグリゲーションフィールド１６０４、ＢＷフィールド１６０６、および割り当てブロック持続時間フィールド１６０８を備える。割り当てキーフィールド１６０２、チャネルアグリゲーションフィールド１６０４、およびＢＷフィールド１６０６は、図６の割り当てキーフィールド５１２、チャネルアグリゲーションフィールド５１４、およびＢＷフィールド５１６と同様である。
【０１５１】
割り当てブロック持続時間フィールド１６０８は、共通シグナリングフィールドであり、図５のＥＳＥ３００における、割り当てブロック持続時間フィールド３２２と同様である。あるいは、割り当てブロック持続時間フィールド１６０８は、図３のＥＳＥ３００における、割り当てタイプフィールド３３４と同様の割り当てタイプフィールドによって置き換えられてもよい。
【０１５２】
次に、スケジューリングに対するＥＳＥおよびＥＤＭＧ＿ＥＳＥの一例について説明する。なお、スケジューリングについては、図１０に示した例を援用する。
【０１５３】
図１０のＣＨ１上で送信されるＭＡＣフレーム１１０１に含まれるＥＳＥ、ＥＤＭＧ＿ＥＳＥについて、図２０を用いて説明する。
【０１５４】
図２０は、本開示の実施形態３における、図１０のプライマリチャネル（ＣＨ１）上で送信されるＥＳＥ２３００およびＥＤＭＧ＿ＥＳＥ１５００の一例を示す図である。なお、図２０において、図５、図１９と同様の構成については同一の符番を付し、説明を省略する。
【０１５５】
ＥＳＥ２３００は、プライマリチャネル（ＣＨ１）を含む割り当て４５４ａのスケジューリング情報をシグナリングする割り当てフィールド３０６−１、プライマリチャネル（ＣＨ１）を含まない割り当て４５４ｂのスケジューリング情報をシグナリングする割り当てフィールド３０６−２、および、プライマリチャネル（ＣＨ１）を含む割り当て４５４ｃのスケジューリング情報をシグナリングする割り当てフィールド３０６−３を有する。
【０１５６】
ＥＤＭＧ＿ＥＳＥ１５００は、プライマリチャネル（ＣＨ１）を含む割り当て４５４ａの差分スケジューリング情報をシグナリングするチャネル割り当てフィールド１５１０−１、プライマリチャネル（ＣＨ１）を含まない割り当て４５４ｂの差分スケジューリング情報をシグナリングするチャネル割り当てフィールド１５１０−２、および、プライマリチャネル（ＣＨ１）を含む割り当て４５４ｃの差分スケジューリング情報をシグナリングするチャネル割り当てフィールド１５１０−３を有する。
【０１５７】
そして、ＥＳＥ２３００における、プライマリチャネル（ＣＨ１）を含まない割り当て４５４ｂの割り当てフィールド３０６−２の割り当てブロック持続時間フィールド３２２は、０に設定される。割り当てフィールド３０６−１および割り当てフィールド３０６−３の割り当てブロック持続時間フィールド３２２（図示省略）は、実際の値に設定される。また、ＥＤＭＧ＿ＥＳＥ１５００における、チャネル割り当てフィールド１５１０に追加されたブロック持続時間フィールド１６０８（図１９参照）は、実際の値に設定される。
【０１５８】
プライマリチャネル（ＣＨ１）内にある隣接ネットワーク内のＤＭＧ＿ＰＣＰ／ＡＰは、図２０のＥＳＥ２３００およびＥＤＭＧ＿ＥＳＥ１５００を含むＭＡＣフレーム１１０１を受信し、ＥＳＥ２３００を復号し、割り当て４５４ａおよび割り当て４５４ｃのスケジューリング情報を取得する。また、ＤＭＧ＿ＰＣＰ／ＡＰは、割り当て４５４ｂの割り当てフィールド３０６−２の割り当てブロック持続時間フィールド３２２が０に設定されていることを認識することにより、割り当て４５４ｂが実際にはプライマリチャネル（ＣＨ１）においてスケジューリングされていない割り当てであると判断する。そのため、ＤＭＧ＿ＰＣＰ／ＡＰは、プライマリチャネル（ＣＨ１）における、割り当て４５４ｂの時間に対応する時間のリソース（図１０の領域Ｙ１）に対して別の割り当てを行うことができる。
【０１５９】
また、図２０のＥＳＥ２３００における、割り当て４５４ｂの割り当てフィールド３０６−２の割り当てブロック持続時間フィールド３２２が０に設定されているが、図２０のＥＤＭＧ＿ＥＳＥ１５００における、割り当て４５４ｂのチャネル割り当てフィールド１５１０−２には、実際の値に設定された割り当てブロック持続時間フィールド１６０８（図示省略）が含まれている。そのため、ＥＤＭＧ＿ＳＴＡは、図２０のＥＳＥ２３００とＥＤＭＧ＿ＥＳＥ１５００を復号することにより、割り当て４５４ｂを含む全ての割り当てのスケジューリング情報を取得できる。
【０１６０】
＜実施形態３のまとめ＞
以上説明した実施形態３では、ＥＤＭＧ＿ＥＳＥ１５００のチャネル割り当てフィールド１５１０は、送信元ＡＩＤフィールド、宛先ＡＩＤフィールド、および割り当てＩＤフィールドに加えて、ＥＳＥの割り当てフィールド３０６と共通する共通シグナリングフィールド（例えば、割り当てタイプフィールドまたは割り当てブロック持続時間フィールド）を有する。
【０１６１】
そして、プライマリチャネル上で送信されるＭＡＣフレームに含まれるＥＳＥにおける、プライマリチャネルを含まない（占有しない）割り当てに関する共通シグナリングフィールドが、無効な値に設定され、ＥＤＭＧ＿ＥＳＥにおける、共通シグナリングフィールドが、実際の値に設定される。
【０１６２】
この構成により、プライマリチャネル内にある隣接ネットワークのＤＭＧ＿ＰＣＰ／ＡＰは、ＥＳＥを復号することにより、プライマリチャネルを含まない割り当てを、プライマリチャネルを含む割り当てであると解釈することを回避できる。これにより、ＤＭＧ＿ＰＣＰ／ＡＰは、プライマリチャネルにおいて、より効率よくスケジューリングを行うことができ、プライマリチャネルのチャネル利用効率が向上する。
【０１６３】
（実施形態４）
図２１は、本開示の実施形態４に係るＥＤＭＧ＿ＥＳＥに含まれるチャネル割り当てフィールドのフォーマットの一例を示す図である。なお、図２１において、図１９と同様の構成については、同一の符番を付し、説明を省略する。
【０１６４】
図２１のチャネル割り当てフィールドのフォーマットは、図１９のチャネル割り当てフィールド１５１０のフォーマットに加えて、送信モードフィールド１７２０およびＭＩＭＯ  ＢＦ制御フィールド１７２２を備える。
【０１６５】
送信モードフィールド１７２０は、その割り当てにおいてＳＩＳＯ送信、ＳＵ−ＭＩＭＯ送信、およびＤＬ  ＭＵ−ＭＩＭＯ送信のいずれが起動されるかを示す。
【０１６６】
ＭＩＭＯ  ＢＦ制御フィールド１７２２は、ＥＳＥ３００内のＢＦ制御フィールドへのＭＩＭＯ  ＢＦトレーニング関連差分シグナリングを含む。
【０１６７】
例えば、ＭＩＭＯ  ＢＦ制御フィールド１７２２は、イニシエータリンク用のＳＵ−ＭＩＭＯ  ＢＦトレーニングが必要か否かを示すための第１のシグナリングと、レスポンダリンク用のＳＵ−ＭＩＭＯ  ＢＦトレーニングが必要か否かを示すための第２のシグナリングと、ＤＬ  ＭＵ−ＭＩＭＯ  ＢＦトレーニングが必要か否かを示すための第３のシグナリングと、を含む。ＭＩＭＯ  ＢＦ制御フィールド１７２２は、また、イニシエータリンク用のＳＵ−ＭＩＭＯ  ＢＦトレーニングに関する追加パラメータ、レスポンダリンク用のＳＵ−ＭＩＭＯ  ＢＦトレーニングに関する追加パラメータ、およびＤＬ  ＭＵ−ＭＩＭＯ  ＢＦトレーニングに関する追加パラメータを含んでもよい。なお、割り当てにおいてＳＩＳＯ送信が起動された場合、割り当てのためにＭＩＭＯ  ＢＦ制御フィールド１７２２がチャネル割り当てフィールド内の予約フィールドとして扱われる。
【０１６８】
＜実施形態４のまとめ＞
本開示の実施形態４では、ＥＤＭＧ＿ＥＳＥの各割り当てフィールドが、送信モードフィールド、および、ＭＩＭＯ  ＢＦ制御フィールドを有することにより、ＥＤＭＧ＿ＥＳＥを復号できる受信装置（例えば、ＥＤＭＧ＿ＳＴＡ）が、送信モードの切替、および、ＢＦトレーニングを行うことができる。
【０１６９】
なお、上記各実施形態において示したフレームのフォーマットは一例であり、本開示はこれに限定されない。例えば、フレームに含まれる各フィールドの順番および／または各フィールドのサイズは、変更されてもよい。
【０１７０】
なお、上記各実施形態では、本開示をハードウェアで構成する場合を例にとって説明したが、本開示はソフトウェアで実現してもよい。また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュアラブル・プロセッサを利用してもよい。
【０１７１】
さらに、半導体技術の進歩または派生する別技術によりＬＳＩに置き換わる集積回路化の技術、例えばバイオ技術による適用例等が登場すれば、その技術を用いて機能ブロックの集積化を行ってもよい。
【０１７２】
上記各実施形態は、ビデオ、写真、テキスト、音声の少なくとも１つを送信または受信するセルラー、スマートフォン、タブレット端末、テレビ端末に使用することができる。
【０１７３】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施形態における各構成要素を任意に組み合わせてもよい。
【０１７４】
＜本開示のまとめ＞
本開示における送信装置は、単一チャネルによる割り当てに対応した第１タイプのスケジュール要素と、複数チャネルによる割り当てに対応した第２タイプのスケジュール要素と、の少なくともいずれか１つを生成し、前記生成した第１タイプまたは前記第２タイプのスケジュール要素を含むＭＡＣフレームを生成する送信信号発生回路と、前記ＭＡＣフレームを第１チャネルで送信する送信回路と、を備え、前記送信信号発生回路は、前記複数チャネルによる割り当てが前記第１チャネルを含む場合、前記複数チャネルによる割り当てに関する情報の全ての情報を含む前記第１タイプのスケジュール要素を生成し、前記生成した第１タイプのスケジュール要素を示す差分情報を含む前記第２タイプのスケジュール要素を生成し、前記複数チャネルによる割り当てが前記第１チャネルを含まない場合、前記第１タイプのスケジュール要素の生成を省略し、前記複数チャネルによる割り当てに関する情報の全ての情報を含む前記第２タイプのスケジュール要素を生成する。
【０１７５】
本開示の送信装置において、前記第１タイプのスケジュール要素は、ＩＥＥＥ８０２．１１ａｄ規格に準拠した拡張スケジュール要素であり、前記第２タイプのスケジュール要素は、ＩＥＥＥ８０２．１１ａｙ規格に準拠したＥＤＭＧ（Enhanced Directional Multi-Gigabit）拡張スケジュール要素である。
【０１７６】
本開示の送信装置において、前記ＭＡＣフレームは、ＤＭＧビーコンフレームまたはアナウンスフレームのいずれかである。
【０１７７】
本開示の送信装置において、前記第２タイプのスケジュール要素は、前記複数チャネルによる割り当てに対応する１つ以上割り当てフィールドを備え、前記割り当てフィールドは、対応する割り当てのスケジューリング情報を含み、前記割り当てフィールドは、前記複数チャネルによる割り当てのスケジューリング情報の全ての情報、または、前記生成した第１タイプのスケジュール要素を示す差分情報である、前記複数チャネルによる割り当ての差分スケジューリング情報、のいずれを含むかを示すシグナリングフィールドを備える。
【０１７８】
本開示における受信装置は、単一チャネルによる割り当てに対応した第１タイプのスケジュール要素と、複数チャネルによる割り当てに対応した第２タイプのスケジュール要素と、の少なくともいずれか１つを含むＭＡＣフレームを、送信装置から第１チャネルで受信する受信回路と、前記ＭＡＣフレームに含まれる前記スケジュール要素から、前記複数チャネルによる割り当てを判断する信号処理回路と、を備え、前記送信装置から送信される前記ＭＡＣフレームに含まれる前記第１タイプのスケジュール要素および／または前記第２タイプのスケジュール要素は、前記複数チャネルによる割り当てが前記第１チャネルを含まない場合、前記送信装置が、前記第１タイプのスケジュール要素の生成を省略し、前記複数チャネルによる割り当てに関する情報の全ての情報を含む前記第２タイプのスケジュール要素を生成し、前記複数チャネルによる割り当てが前記第１チャネルを含む場合、前記送信装置が、前記複数チャネルによる割り当てに関する情報の全ての情報を含む前記第１タイプのスケジュール要素を生成し、前記生成した第１タイプのスケジュール要素を示す差分情報を含む前記第２タイプのスケジュール要素を生成する。
【０１７９】
本開示の受信装置において、前記第１タイプのスケジュール要素は、ＩＥＥＥ８０２．１１ａｄ規格に準拠した拡張スケジュール要素であり、前記第２タイプのスケジュール要素は、ＩＥＥＥ８０２．１１ａｙ規格に準拠したＥＤＭＧ（Enhanced Directional Multi-Gigabit）拡張スケジュール要素である。
【０１８０】
本開示の受信装置において、前記ＭＡＣフレームは、ＤＭＧビーコンフレームまたはアナウンスフレームのいずれかである。
【０１８１】
本開示の受信装置において、前記第２タイプのスケジュール要素は、前記複数チャネルによる割り当てに対応する１つ以上割り当てフィールドを備え、前記割り当てフィールドは、対応する割り当てのスケジューリング情報を含み、前記割り当てフィールドは、前記対応する割り当てのスケジューリング情報の全ての情報、または、生成した第１タイプのスケジュール要素を示す差分情報である、前記複数チャネルによる割り当ての差分スケジューリング情報、のいずれを含むかを示すシグナリングフィールドを備える。
【産業上の利用可能性】
【０１８２】
本開示は、マルチユーザ無線通信システム内の１つ以上のチャネルで割り当てをスケジューリングする方法に適用可能である。
【符号の説明】
【０１８３】
２０００  ＰＣＰ／ＡＰ
２００２、２１０２  制御回路
２００４  スケジューリング回路
２０１０  送信信号発生回路
２０２０  送信回路
２１００  ＳＴＡ
２１１０  受信回路
２１２０  受信信号処理回路
２００６、２１１２  メッセージ処理回路
２０１２、２１０４  メッセージ生成回路
２０２４、２１２４  アンテナ
２０２２、２１２２  ＰＨＹ処理回路
【図１】
2018064267.tif 000003
【図２】
2018064267.tif 000004
【図３】
2018064267.tif 000005
【図４】
2018064267.tif 000006
【図５】
2018064267.tif 000007
【図６】
2018064267.tif 000008
【図７】
2018064267.tif 000009
【図８】
2018064267.tif 000010
【図９】
2018064267.tif 000011
【図１０】
2018064267.tif 000012
【図１１】
2018064267.tif 000013
【図１２】
2018064267.tif 000014
【図１３】
2018064267.tif 000015
【図１４】
2018064267.tif 000016
【図１５】
2018064267.tif 000017
【図１６】
2018064267.tif 000018
【図１７】
2018064267.tif 000019
【図１８】
2018064267.tif 000020
【図１９】
2018064267.tif 000021
【図２０】
2018064267.tif 000022
【図２１】
2018064267.tif 000023